(57)【要約】  本発明は、整列される開口を有したワークピースを一緒に締結するためのタッキングリベットを提供する。このタッキングリベットは、ヘッド部分と、このヘッド部分から延びた長尺なスリーブ部分とを備える。ヘッド部分とスリーブ部分は共に、互いに整列される口部を有する。タッキングリベットはさらに、スリーブ部分の外面上に位置決めされた複数のリブ部分を備える。これらリブ部分は、ワークピースの開口内でスリーブ部分が拡大されたときに、ワークピースの開口の壁面に係合可能である。リブ部分はワークピースの開口の壁面に係合可能であるので、ワークピースを一緒に締結するための恒久的ファスナーの設置に先行してタッキングリベットを開口から取り除くドリリング動作中に、タッキングリベットは開口内で回転することがない。
2005514565.tif 000002
【特許請求の範囲】
【請求項１】
整列される開口を有した少なくとも２つのワークピースを一緒に締結するためのタッキングリベットであって、
口部を有するヘッド部分と、
前記ヘッド部分から延びるとともに、前記ヘッド部分の前記口部と整列する口部を有した長尺なスリーブ部分と、
前記長尺なスリーブ部分の外面上に位置決めされ、前記タッキングリベットを前記ワークピースの前記開口から取り除くドリリング動作中に前記タッキングリベットの回転を防止するために、前記ワークピースの前記開口内で前記長尺なスリーブ部分が拡大されたときに、前記少なくとも２つのワークピースの前記開口の少なくとも１つの壁面に係合可能な複数のリブ部分と
を備えることを特徴とするタッキングリベット。
【請求項２】
前記複数のリブ部分は、前記長尺なスリーブ部分に沿って長手方向に延びる請求項１に記載のタッキングリベット。
【請求項３】
前記長尺なスリーブ部分は、前記ワークピースの前記開口内で、ステムによって拡大される請求項１に記載のタッキングリベット。
【請求項４】
前記ヘッド部分は、前記ヘッド部分を２つの分離された部分に分割する手段を有し、この分割する手段は、前記ドリリング動作中に、前記２つの分離された部分がドリルビットに固定された状態でいることを防止する請求項１に記載のタッキングリベット。
【請求項５】
整列される開口を有した少なくとも２つのワークピースを一緒に締結するためのタッキングファスナーであって、
その一端に拡大されたステムヘッドが設けられた長尺なステムシャンクを有するとともに、前記長尺なステムシャンクの反対端にグリップ手段が設けられたステムと、
口部を有するタッキングリベットとを備え、
前記タッキングリベットは、ヘッド部分と、前記ヘッド部分から延びた長尺なスリーブ部分と、前記長尺なスリーブ部分の外面上に位置決めされた複数のリブ部分とを有し、
前記拡大されたステムヘッドが前記タッキングリベットの前記ヘッド部分から遠く、また前記グリップ手段は前記ヘッド部分に近くなるように、前記長尺なステムシャンクが前記タッキングリベットの口部内で延びており、
前記拡大されたステムヘッドは前記タッキングリベットの前記口部内に移動し、かつ貫通するように適用されて、前記長尺なスリーブ部分を前記ワークピースの前記開口内で拡大し、前記複数のリブ部分を前記開口の少なくとも１つの壁面に係合させ、
前記複数のリブ部分と前記開口の少なくとも１つの壁面との係合は、前記タッキングリベットを前記ワークピースの前記開口から取り除くドリリング動作中に前記タッキングリベットの回転を防止するものであることを特徴とするタッキングファスナー。
【請求項６】
前記複数のリブ部分は、前記長尺なスリーブ部分に沿って長手方向に延びる請求項５に記載のタッキングファスナー。
【請求項７】
前記ヘッド部分は、前記ヘッド部分を２つの分離された部分に分割する手段を有し、この分割する手段は、前記ドリリング動作中に、前記２つの分離された部分がドリルビットに固定された状態でいることを防止する請求項５に記載のタッキングファスナー。
【請求項８】
それぞれが整列される開口を有し、互いに並んで位置決めされる少なくとも２つのワークピースと、
ヘッド部分、前記ヘッド部分から延びた長尺なスリーブ部分、および前記長尺なスリーブ部分の外面上に位置決めされた複数のリブ部分を有したタッキングリベットと
を備えるジョイントであって、
前記タッキングリベットが、前記少なくとも２つのワークピースを一緒に取り付けるように、前記複数のリブ部分は、前記少なくとも２つのワークピースの開口の少なくとも１つの壁面内に埋設されるとともに、前記ヘッド部分は、前記ワークピースの１つの表面上に位置決めされ、
前記ジョイントは、前記タッキングリベットを前記ジョイントから取り除くドリリング動作中に前記タッキングリベットの回転を防止するものであることを特徴とするジョイント。
【請求項９】
前記複数のリブ部分は、前記長尺なスリーブ部分に沿って長手方向に延びる請求項８に記載のジョイント。
【請求項１０】
前記ヘッド部分は、前記ヘッド部分を２つの分離された部分に分割する手段を有し、この分割する手段は、前記ドリリング動作中に、前記２つの分離された部分がドリルビットに固定された状態でいることを防止する請求項８に記載のジョイント。
【請求項１１】
整列される開口を有した少なくとも２つのワークピースを一緒に取り付ける方法であって、
ａ）その一端に拡大されたステムヘッドが設けられた長尺なステムシャンクを有するとともに、また前記長尺なステムシャンクの反対端にグリップ手段が設けられたステムを与えるステップと、
ｂ）ヘッド部分、前記ヘッド部分から延びた長尺なスリーブ部分、および前記長尺なスリーブ部分の外面上に位置決めされた複数のリブ部分を備えるとともに、口部を有する一時的タッキングリベットを与えるステップと、
ｃ）前記拡大されたステムヘッドが前記ヘッド部分に遠く位置決めされるとともに、前記グリップ手段が前記ヘッド部分に近く位置決めされるように、前記長尺なステムシャンクを前記タッキングリベットの前記口部に挿入するとともに貫通するステップと、
ｄ）前記ヘッド部分が前記ワークピースの１つの表面上に位置決めされるように、前記長尺なステムシャンクを前記タッキングリベットの前記口部に挿入するステップと、
ｅ）前記ステムに軸方向の力を加えて、前記タッキングリベットの前記口部を通して前記拡大されたステムヘッドを引いて、前記長尺なスリーブ部分を前記開口内で拡大すると共に、前記複数のリブ部分を前記ワークピースの前記開口の少なくとも１つの壁面に埋設して、前記ワークピースを一緒に取り付けるステップと、
備えることを特徴とする方法。
【請求項１２】
ｆ）前記ヘッド部分、前記長尺なスリーブ部分および前記ワークピースをドリルビットにドリリングするステップと、
ｇ）恒久的ファスナーを前記ワークピースの前記開口内に挿入して前記ワークピースを一緒に取り付けるステップと
を更に備える請求項１１に記載の方法。
【発明の詳細な説明】
【技術分野】
【０００１】
［背景技術］
本発明は、２つの隣接するワークピースを一時的に締結するためのリベットに関する。
【０００２】
リベットは典型的に、隣接するワークピースを恒久的に締結するために使用される。ワークピースは典型的に、互いに整列される開口を有し、そしてリベットはその開口内に挿入される。リベットはそれから、好適な手段によるリベットのスリーブの拡大によって、開口の壁面に接続される。開口の壁面に対するスリーブの拡大は、ワークピースを恒久的に締結するための密接な嵌合を与える。
【０００３】
航空機の胴体を建造するような多くの作業において、複数のパネルは数１００および数１０００本のリベットを使用して１つのフレームに取り付けられる。フレームとパネルにリベットを締結する前に、オペレータは、パネルおよびフレームの開口が整列状態にあることを保証しなければならない。かくして、パネルおよびフレームの開口にリベットを恒久的に締結する前に、タッキングリベットは、開口の全ての適切な整列を保証するために、整列された開口に一定の割合で、即ち１０毎に１の割合で挿入される。
【０００４】
タッキングリベットが開口に一定の割合で挿入された後に、パネルを恒久的にフレームに取り付けるために、オペレータはリベットをパネルおよびフレームの開口に取付け始める。既にタッキングリベットによって取り付けられている開口まで来ると、オペレータは適切な直径のドリルでタッキングリベットのヘッドおよびスリーブとワークピースを通してドリリングし、これによりタッキングリベットを取り除く。タッキングリベットがワークピースの開口から取り除かれると、オペレータは恒久的なリベットをワークピースの開口内に設置して、パネルを恒久的にフレームに取り付ける。
【０００５】
そのようなタッキングリベットのドリリング中に、タッキングリベットがしばしばドリルの回転に負けることが判明している。これはドリリング動作中のドリルのターンやスピンによるものであり、ドリリング動作に干渉して問題を起こす。かくして、ドリリング動作中にドリルと共にターンやスピンする従来のタッキングリベットによって引き起こされる問題のないタッキングリベットに対する必要がある。本発明は、従来のタッキングリベットの欠点および問題を解消して、ドリリング動作中にドリルと共にターンやスピンすることのないタッキングリベットを提供する。
【０００６】
［発明の目的および開示］
この発明の主たる目的は、ワークピースを一緒に取り付けることに使用されるタッキングリベットを提供することにある。このタッキングリベットは、ドリリング動作中にターンやスピンすることがない。
【０００７】
この発明の１つの目的は、効果的且つ一時的にワークピースを一緒に取り付けるタッキングリベットを提供することにある。この取り付けは、ワークピース内の開口の壁面に対してタッキングリベットのスリーブを拡張することによって行われる。
【０００８】
この発明のもう１つの目的は、ドリリング動作中のタッキングリベットのターンやスピンを効果的に防止するタッキングリベットを提供することにある。これは、タッキングリベットのスリーブ上の複数のリブを、タッキングリベットのスリーブの拡張中に、ワークピース内の開口の壁面に埋設することによって行われる。
【０００９】
簡単に、そして前述したことに従って、本発明は、整列される開口を有したワークピースを一緒に締結するためのタッキングリベットを提供する。このタッキングリベットは、ヘッド部分と、このヘッド部分から延びた長尺なスリーブ部分とを備える。ヘッド部分と長尺なスリーブ部分は共に、互いに整列される口部を有する。タッキングリベットはさらに、長尺なスリーブ部分の外面上に位置決めされた複数のリブ部分を備える。これらリブ部分は、ワークピースの開口内で長尺なスリーブ部分が拡大されたときに、ワークピースの開口の壁面に係合可能である。リブ部分はワークピースの開口の壁面に係合可能であるので、ワークピースを一緒に締結するための恒久的ファスナーの設置に先行してタッキングリベットを開口から取り除くドリリング動作中に、タッキングリベットは開口内で回転することがない。
【００１０】
新規であると信じられる本発明の特徴は、以下で詳細に説明される。この発明の構造および動作の構成および手法は、その目的および利点と共に、添付図面に関連してなされる以下の説明を参照することによって、最も良く理解される。図面において、同じ参照符号は同じ要素を識別している。
【００１１】
［図示された実施形態の詳細な説明］
この発明は、異なる形態の実施例に受け入れ可能であるが、具体的な実施例が図面に示され、ここで詳細に説明される。但し、この開示は、発明の原理の例示と考えられるべきものであって、この発明を、ここに図示され、説明されるものに制限することを意図したものではない、と理解されるべきである。
【００１２】
タッキングファスナー２０は図１に描かれ、そして典型的には一時的に２つの隣接するワークピース２２，２４を一緒に締結することに使用される。図２〜４を参照されたい。タッキングファスナー２０は典型的に、タッキングリベット２６と、ステム部材２８とを備える。
【００１３】
タッキングリベット２６は、ヘッド部分３０と、第１端部３４および第２端部３６を有したスリーブ部分３２とを備える。ヘッド部分３０は、スリーブ部分３２の第１端部３４から延び、そしてスリーブ部分３２の直径より大きな直径を有している。口部３８がタッキングリベット２６に設けられている。この口部は、タッキングリベット２６のスリーブ部分３２とヘッド部分３０の双方を通して延びている。ヘッド部分３０には、米国特許第４，２８５，２６５号に示され、論じられているような分割器（図示せず）、例えばスロット、凹部またはぎざぎざを設けることができる。この分割器は、以下で論じられる理由のために、ヘッド部分３０を少なくとも２つの部分に分割する。
【００１４】
スリーブ部分３２の外面４０には、複数の突出したリブ部分４２が設けられている。リブ部分４２は、スリーブ部分３２の第１端部３４からスリーブ部分３２の第２端部３６に向けて長手方向に延びていることが好ましい。上述したように、また以下で論ずるように、リブ部分４２の構成がタッキングリベット２６の目的を達成する場合、リブ部分４２はスリーブ部分３２の外面４０上に他の構成も有するという点に留意されるべきである。
【００１５】
ステム部材２８は、長尺なシャンク４４と、そこから延びた拡大されたステムヘッド４６とを有する。長尺なシャンク４４は、タッキングリベット２６の口部３８を通して延び、この結果、拡大されたステムヘッド４６は、タッキングリベット２６のスリーブ部分３２の第２端部３６に最も近くなるように位置決めされる。長尺なシャンク４４は、引出部分４８をその外端に有する。この引出部分は、タッキングリベット２６のスリーブ部分３２の第２端部３６に最も遠く、且つタッキングリベット２６のヘッド部分３０に最も近くなるように位置決めされている。引出部分４８には、複数の環状の引出溝５０が設けられている。このため、引出部分は通常の引出型ツール（図示せず）によって把持され、拡大されたステムヘッド４６をタッキングリベット２６の口部３８を通して引き込むことができる。そのようなツールは従来から周知であり、従ってその詳細は簡潔化および単純化ために省略されている。
【００１６】
拡大されたステムヘッド４６は、テーパ付けされた部分５２を有する。この部分は、拡大されたステムヘッド４６をスリーブ部分３２の第２端部３６からタッキングリベット２６の口部３８内へ導くことを助ける。テーパ付けされた部分５２は、タッキングリベット２６の口部３８の直径より大きな直径を有する環状の先端部分５４へ向けて延びている。このため、ステム部材２８がタッキングリベット２６の口部３８を通して引き出されるときに、拡大されたステムヘッド４６はスリーブ部分３２を拡張する。
【００１７】
拡大されたステムヘッド４６は、その中に空洞（図示せず）を有することもできる。この空洞は、ステム部材２８がタッキングリベット２６を通して引き出されるときに、拡大されたステムヘッド４６が収縮することを可能にする。
【００１８】
図２〜４は、第１のワークピース２２を第２のワークピース２４に一時的に取り付けるためのタッキングリベット２６の設置を描いている。第１のワークピース２２は一般に、平坦な内面５６および外面５８を有する。これに対し、第２のワークピース２４は一般に、平坦な内面６０および外面６２を有する。第１のワークピース２２の内面５６と第２のワークピース２４の外面６２は、概ね互いに接している。この結果、ワークピース２２，２４は互いに隣接している。第２のワークピース２４の内面６０は典型的にブラインド面であるので、オペレータは典型的に第２のワークピース２４の内面６０にアクセスすることができない。
【００１９】
図２に示されているように、ワークピース２２，２４はそれぞれ、そこを貫通して設けられた開口６４，６６を有する。ワークピース２２，２４の開口６４，６６は互いに整列される。開口６４，６６は一般に、タッキングリベット２６のスリーブ部分３２の直径より僅かに大きい直径を有する。このため、外面４０上にリブ部分４２が設けられ、且つ内部にステム部材２８が挿入されたタッキングリベット２６は、ワークピース２２，２４の開口６４，６６内に簡単に挿入される。拡大されたステムヘッド４６とタッキングリベット２６のスリーブ部分３２の第２端部３６とは、第２のワークピース２４の内面即ちブラインド面６０から延びている。これに対し、引出部分４８とタッキングリベット２６のヘッド部分３０は、第１のワークピース２２の外面５８から延びている。
【００２０】
図３に示されるように、ステム部材２８はタッキングリベット２６のスリーブ部分３２を通して引き出される。この場合、通常の引出型ツールによって、引出用の軸方向の力Ｆ１が長尺のシャンク４４の引出部分４８に加えられる。同時に、力Ｆ１に対する抵抗を与えるために、力Ｆ２がタッキングリベット２６のヘッド部分３０の上面に加えられる。軸方向の力Ｆ１を長尺のシャンク４４に加えると、拡大されたステムヘッド４６は、初めにスリーブ部分３２の第２端部３６からタッキングリベット２６の口部３８内へ引き込まれる。この結果、スリーブ部分３２は、その第２端部３６に、ワークピース２４を圧迫する膨径部分６８を形成する。
【００２１】
拡大されたステムヘッド４６がタッキングリベット２６のスリーブ部分３２の口部３８を通して継続して引き込まれると、拡大されたステムヘッド４６は、タッキングリベット２６のスリーブ部分３２をワークピース２２，２４の開口６４，６６内で拡張する。タッキングリベット２６のスリーブ部分３２がワークピース２２，２４の開口６４，６６内で拡張されると、スリーブ部分３２の外面４０は、ワークピース２２，２４の開口６４，６６の壁面７０，７２と緊密に係合し、そしてタッキングリベット２６のスリーブ部分３２の外面４０上のリブ部分４２は、ワークピース２２，２４の開口６４，６６の壁面７０，７２内に埋設される。
【００２２】
図３及び４に示すように、タッキングリベット２６のヘッド部分３０は、ワークピース２２の外面５８上に取り付けられる。その後、設置されたタッキングリベット２６は、ワークピース２２，２４を一緒に保持することが可能になる。これに対し、オペレータは恒久的リベット（図示せず）をワークピース２２，２４内に設置する。一時的であるが設置されたタッキングリベット２６は、ワークピース２２，２４の開口６４，６６から取り除かれ、恒久的なリベットと置き換えられる。
【００２３】
設置された一時的なタッキングリベット２６は、典型的にはドリリング過程によって取り除かれる。このドリリング過程では、先金（図示せず）が、タッキングリベット２６のヘッド部分３０を通して穿孔し、それからタッキングリベット２６のスリーブ部分３２とワークピース２２，２４を通して穿孔する。これは、設置された一時的なタッキングリベット２６を取り除いて、恒久的リベット用の穴を形成するためである。先金の直径は、希望により、タッキングリベット２６のヘッド部分３０の直径より大きくても小さくてもよい。
【００２４】
タッキングリベット２６のリブ部分４２は、ワークピース２２，２４の開口６４，６６の壁面７０，７２に埋設されているので、設置されたタッキングリベット２６は、ドリリング過程中にワークピース２２，２４の開口６４，６６内で、回転に負けることがない。設置されたタッキングリベット２６は、ドリリング過程中にターンまたはスピンしないので、表面に掻き傷を付けるような望ましくない損傷がワークピース２２，２４に与えられることがない。
【００２５】
ワークピース２２の外面５８に掻き傷を付けることを防止するために、ヘッド部分３０には上述したような分割器を設けてもよい。タッキングリベット２６のヘッド部分３０上に設けられた分割器は、先金がタッキングリベット２６のヘッド部分３０を通して穿孔した後に、ヘッド部分３０が折れるようにする。かくして、ヘッド部分３０がワークピース２２の外面５８に掻き傷を付けることは防止される。
【００２６】
本発明の好ましい実施形態がここに図示され、説明されたが、添付の請求の範囲の精神及び範囲を逸脱すること無しに、当業者が本発明の種々の修正例を工夫することは想像される。
【図面の簡単な説明】
【００２７】
【図１】本発明のタッキングリベットの側面図である。
【図２】２つの隣接するワークピースの開口内に挿入されたタッキングリベットを示す側断面図である。
【図３】タッキングリベットのスリーブ（断面で示す）を通して引き抜かれたステムを示す側面図である。
【図４】２つの隣接するワークピースの開口の壁面に取り付けられたタッキングリベットの側面図である。
【図１】
2005514565.tif 000003
【図２】
2005514565.tif 000004
【図３】
2005514565.tif 000005
【図４】
2005514565.tif 000006
【手続補正書】
【提出日】平成16年6月4日(2004.6.4)
【手続補正１】
【補正対象書類名】特許請求の範囲
【補正対象項目名】全文
【補正方法】変更
【補正の内容】
【特許請求の範囲】
【請求項１】
整列される開口を有した少なくとも２つのワークピースを一緒に締結するためのタッキングリベットであって、
前記少なくとも２つのワークピースの１つに近接して配置されるように構成され、さらに前記少なくとも２つのワークピースの前記整列される開口よりも大きくなるように構成された、口部を有するヘッド部分と、
前記ヘッド部分から前記少なくとも２つのワークピースの前記整列される開口を通して延びるとともに、前記ヘッド部分の前記口部と整列する口部を有するスリーブ部分と、
前記長尺なスリーブ部分の外面上に位置決めされ、前記タッキングリベットを前記ワークピースの前記開口から取り除くドリリング動作中に前記タッキングリベットの回転を防止するために、前記ワークピースの前記開口内で前記長尺なスリーブ部分が拡大されたときに、前記少なくとも２つのワークピースの前記開口の少なくとも１つの壁面に係合可能な複数のリブ部分と
を備えることを特徴とするタッキングリベット。
【請求項２】
前記複数のリブ部分は、前記長尺なスリーブ部分に沿って長手方向に延びる請求項１に記載のタッキングリベット。
【請求項３】
前記長尺なスリーブ部分は、前記ワークピースの前記開口内で、ステムによって拡大される請求項１に記載のタッキングリベット。
【請求項４】
前記ヘッド部分は、前記ヘッド部分を２つの分離された部分に分割する手段を有し、この分割する手段は、前記ドリリング動作中に、前記２つの分離された部分がドリルビットに固定された状態でいることを防止する請求項１に記載のタッキングリベット。
【請求項５】
整列される開口を有した少なくとも２つのワークピースを一緒に締結するためのタッキングファスナーであって、
その一端に拡大されたステムヘッドが設けられた長尺なステムシャンクを有するとともに、前記長尺なステムシャンクの反対端にグリップ手段が設けられたステムと、
口部を有するタッキングリベットとを備え、
前記タッキングリベットは、前記少なくとも２つのワークピースの１つに近接して配置されるように構成され、さらに前記少なくとも２つのワークピースの前記整列される開口よりも大きくなるように構成されたヘッド部分と、前記ヘッド部分から前記少なくとも２つのワークピースの前記整列される開口を通して延びる長尺なスリーブ部分と、前記長尺なスリーブ部分の外面上に位置決めされた複数のリブ部分とを有し、
前記拡大されたステムヘッドが前記タッキングリベットの前記ヘッド部分から遠く、また前記グリップ手段は前記ヘッド部分に近くなるように、前記長尺なステムシャンクが前記タッキングリベットの口部内で延びており、
前記拡大されたステムヘッドは前記タッキングリベットの前記口部内に移動し、かつ貫通するように適用されて、前記長尺なスリーブ部分を前記ワークピースの前記開口内で拡大し、前記複数のリブ部分を前記開口の少なくとも１つの壁面に係合させ、
前記複数のリブ部分と前記開口の少なくとも１つの壁面との係合は、前記タッキングリベットを前記ワークピースの前記開口から取り除くドリリング動作中に前記タッキングリベットの回転を防止するものであることを特徴とするタッキングファスナー。
【請求項６】
前記複数のリブ部分は、前記長尺なスリーブ部分に沿って長手方向に延びる請求項５に記載のタッキングファスナー。
【請求項７】
前記ヘッド部分は、前記ヘッド部分を２つの分離された部分に分割する手段を有し、この分割する手段は、前記ドリリング動作中に、前記２つの分離された部分がドリルビットに固定された状態でいることを防止する請求項５に記載のタッキングファスナー。
【請求項８】
それぞれが整列される開口を有し、互いに並んで位置決めされる少なくとも２つのワークピースと、
前記少なくとも２つのワークピースの１つに近接して配置されるように構成され、さらに前記少なくとも２つのワークピースの前記整列される開口よりも大きくなるように構成されたヘッド部分、前記ヘッド部分から前記少なくとも２つのワークピースの前記整列される開口を通して延びる長尺なスリーブ部分、および前記長尺なスリーブ部分の外面上に位置決めされた複数のリブ部分を有したタッキングリベットと
を備えるジョイントであって、
前記タッキングリベットが、前記少なくとも２つのワークピースを一緒に取り付けるように、前記複数のリブ部分は、前記少なくとも２つのワークピースの開口の少なくとも１つの壁面内に埋設されるとともに、前記ヘッド部分は、前記ワークピースの１つの表面上に位置決めされ、
前記ジョイントは、前記タッキングリベットを前記ジョイントから取り除くドリリング動作中に前記タッキングリベットの回転を防止するものであることを特徴とするジョイント。
【請求項９】
前記複数のリブ部分は、前記長尺なスリーブ部分に沿って長手方向に延びる請求項８に記載のジョイント。
【請求項１０】
前記ヘッド部分は、前記ヘッド部分を２つの分離された部分に分割する手段を有し、この分割する手段は、前記ドリリング動作中に、前記２つの分離された部分がドリルビットに固定された状態でいることを防止する請求項８に記載のジョイント。
【請求項１１】
整列される開口を有した少なくとも２つのワークピースを一緒に取り付ける方法であって、
ａ）その一端へ向けて延びる拡大されたステムヘッドが設けられた長尺なステムシャンクを有するとともに、前記長尺なステムシャンクの反対端にグリップ手段が設けられたステムを与えるステップと、
ｂ）ヘッド部分、前記ヘッド部分から延びた長尺なスリーブ部分、および前記長尺なスリーブ部分の外面上に位置決めされた複数のリブ部分を備えるとともに、口部を有する一時的タッキングリベットを与えるステップと、
ｃ）前記拡大されたステムヘッドが前記ヘッド部分に遠く位置決めされるとともに、前記グリップ手段が前記ヘッド部分に近く位置決めされるように、前記長尺なステムシャンクを前記タッキングリベットの前記口部に挿入するとともに貫通するステップと、
ｄ）前記ヘッド部分が前記ワークピースの１つの表面上に位置決めされるように、前記長尺なステムシャンクを前記タッキングリベットの前記口部に挿入するステップと、
ｅ）前記ステムに軸方向の力を加えて、前記タッキングリベットの前記口部を通して前記拡大されたステムヘッドを引いて、前記長尺なスリーブ部分を前記開口内で拡大すると共に、前記複数のリブ部分を前記ワークピースの前記開口の少なくとも１つの壁面に埋設して、前記ワークピースを一緒に取り付けるステップと、
ｆ）前記ヘッド部分、前記長尺なスリーブ部分および前記ワークピースを先金でドリリングするステップと、
ｇ）恒久的ファスナーを前記ワークピースの前記開口内に挿入して前記ワークピースを一緒に取り付けるステップと
を備えることを特徴とする方法。
【請求項１２】
前記複数のリブ部分は、前記少なくとも２つのワークピースの前記整列される開口の壁面に係合可能である請求項１に記載のタッキングリベット。
【請求項１３】
前記複数のリブ部分と前記少なくとも２つのワークピースの前記整列される開口の壁面との係合は、前記タッキングリベットの回転を防止する請求項５に記載のタッキングファスナー。
【請求項１４】
前記複数のリブ部分は、前記少なくとも２つのワークピースの前記開口の壁面内で埋め込まれる請求項８に記載のジョイント。
【請求項１５】
前記複数のリブ部分は、前記少なくとも２つのワークピースの前記開口の壁面中へ埋め込まれる請求項１１に記載の方法。
【国際調査報告】
2005514565.tif 000007